(57)【要約】【課題】  浄化槽において送風機が正常に運転されていないことを、簡単な構成でわかるようにする。【解決手段】  透明パイプ１２の下端と上端とに、それぞれ不透明なＴ字管１１、キャップ１３を装着する。透明パイプ１２内に球状のフロート１４を入れる。フロート１４は、送風機が正常に運転されている場合には、上昇してパッキン１６に規制されて第１の位置Ａに配置される。このとき、不透明なキャップ１３に隠れるので、外部からは見えない。フロート１４は、送風機が正常に運転されていない場合には、下降して受けピン１５に支持されて第２の位置Ｂに配置される。このとき、透明パイプ１２を介して外部から視認される。【選択図】      図２
2007010631.tif 000002
【特許請求の範囲】
【請求項１】
送風管を流れる空気の送風量が所定量以上か否かを判定するための送風インジケータにおいて、
前記送風管に設けられた分岐部から上方に延びる表示管と、
前記表示管内を移動可能な移動体と、
前記表示管における上端側に穿設された空気抜きと、
前記表示管における上端側の前記空気抜きよりも下方に配設されて前記移動体を上方から規制して第１の位置に配置する第１のストッパと、
前記表示管における下端側に配設されて前記移動体を下方から規制して第２の位置に配置する第２のストッパと、を備え、
前記移動体は、前記送風管内を流れる送風量が所定量以上の場合には自重に抗して前記第１の位置に配置され、また前記送風管内を流れる送風量が所定量に満たない場合には自重により前記第２の位置に配置され、
前記表示管は、前記移動体が前記第１の位置に配置されているか前記第２の位置に配置されているかを外部から視認によって判定できる部分に透明部を有する、
ことを特徴とする送風インジケータ。
【請求項２】
前記表示管は、前記第１の位置に配置された前記移動体、及び前記第２の位置に配置された前記移動体に対応する部分に前記透明部を有する、
ことを特徴とする請求項１に記載の送風インジケータ。
【請求項３】
前記表示管は、前記第１の位置に配置された前記移動体に対応する部分に不透明部を有し、前記第２の位置に配置された前記移動体に対応する部分に前記透明部を有する、
ことを特徴とする請求項１に記載の送風インジケータ。
【請求項４】
前記表示管は、前記第１の位置に配置された前記移動体に対応する部分に前記透明部を有し、前記第２の位置に配置された前記移動体に対応する部分に不透明部を有する、
ことを特徴とする請求項１に記載の送風インジケータ。
【請求項５】
前記移動体は、上半部と下半部とが異なる色に着色され、
前記表示管は、前記第１の位置に配置された前記移動体の前記上半部に対応する部分に不透明部を有するとともに前記下半部に対応する部分に前記透明部を有し、また、前記第２の位置に配置された前記移動体の前記上半部に対応する部分に前記透明部を有するとともに前記下半部に対応する部分に前記不透明部を有する、
ことを特徴とする請求項１に記載の送風インジケータ。
【請求項６】
前記移動体が球状に形成されている、
ことを特徴とする請求項１ないし４のいずれか１項に記載の送風インジケータ。
【請求項７】
前記移動体の前記上半部及び前記下半部がそれぞれ球状に形成されている、
ことを特徴とする請求項５に記載の送風インジケータ。
【請求項８】
前記移動体に蛍光塗料が塗布されている、
ことを特徴とする請求項１ないし７のいずれか１項に記載の送風インジケータ。
【発明の詳細な説明】
【技術分野】
【０００１】
本発明は、送風管内を所定量以上の空気が流れているか否かを外部から簡単に視認することができる送風インジケータ、特に家庭用浄化槽に使用されて好適な送風インジケータに関する。
【背景技術】
【０００２】
従来、例えば、一般家庭の汚水を処理するために設置される浄化槽においては、送風機が併設されている。浄化処理の途中の段階で、送風機によって浄化槽の接触ばっ気槽に空気を送り込み、好気性微生物の働きによって汚水中の有機物を浄化処理するためである。
【０００３】
このような浄化槽は、浄化槽所有者（使用者）が保守点検や清掃を行うことは困難である。そこで、浄化槽所有者は、保守点検や清掃を専門の浄化槽管理士（保守点検業者）に委託することになる。
【０００４】
保守点検業者は、通常、３〜４個月に１回、浄化槽が設置されている家庭を訪問して、保守点検や清掃を行う。このため、例えば保守点検の直後に送風機が故障等によって停止してしまった場合には、送風機は３〜４個月後の次の定期点検まで停止状態が続くおそれがあり、この場合には、汚水の水質悪化や逆流を招くおそれがある。
【０００５】
送風機の停止に起因する水質悪化や逆流を防止するためには、送風機の停止を速やかに使用者に知らせる必要がある。このための方法としては、例えば、警報用のランプやブザーを使用する方法がある（例えば、特許文献１参照）。
【特許文献１】特開平９−２７１４５７号公報
【発明の開示】
【発明が解決しようとする課題】
【０００６】
しかしながら、ランプやブザーによる方法は、そのための電気的な設備が必要となるため、その分、構成が複雑となるという問題があった。また、既存の浄化槽にランプやブザーを追加する場合には、工事等が煩雑であるという問題もあった。さらには、ブザーにいたっては、近所に対する騒音の原因になるという問題もあった。
【０００７】
なお、これらの問題は、浄化槽に併設する送風機に限ったものではなく、一般の設備に併設される送風機についても当てはまるものである。
【０００８】
そこで、本発明は、電気的な設備が不要な簡素な構成であって、既存の設備にも簡単に取り付けることができ、しかも騒音を発生させることのない送風インジケータを提供することを目的とするものである。
【課題を解決するための手段】
【０００９】
請求項１に係る発明は、送風管を流れる空気の送風量が所定量以上か否かを判定するための送風インジケータにおいて、前記送風管に設けられた分岐部から上方に延びる表示管と、前記表示管内を移動可能な移動体と、前記表示管における上端側に穿設された空気抜きと、前記表示管における上端側の前記空気抜きよりも下方に配設されて前記移動体を上方から規制して第１の位置に配置する第１のストッパと、前記表示管における下端側に配設されて前記移動体を下方から規制して第２の位置に配置する第２のストッパと、を備え、前記移動体は、前記送風管内を流れる送風量が所定量以上の場合には自重に抗して前記第１の位置に配置され、また前記送風管内を流れる送風量が所定量に満たない場合には自重により前記第２の位置に配置され、前記表示管は、前記移動体が前記第１の位置に配置されているか前記第２の位置に配置されているかを外部から視認によって判定できる部分に透明部を有する、ことを特徴とする。
【００１０】
請求項２に係る発明は、請求項１に記載の送風インジケータにおいて、前記表示管は、前記第１の位置に配置された前記移動体、及び前記第２の位置に配置された前記移動体に対応する部分に前記透明部を有する、ことを特徴とする。
【００１１】
請求項３に係る発明は、請求項１に記載の送風インジケータにおいて、前記表示管は、前記第１の位置に配置された前記移動体に対応する部分に不透明部を有し、前記第２の位置に配置された前記移動体に対応する部分に前記透明部を有する、ことを特徴とする。
【００１２】
請求項４に係る発明は、請求項１に記載の送風インジケータにおいて、前記表示管は、前記第１の位置に配置された前記移動体に対応する部分に前記透明部を有し、前記第２の位置に配置された前記移動体に対応する部分に不透明部を有する、ことを特徴とする。
【００１３】
請求項５に係る発明は、請求項１に記載の送風インジケータにおいて、前記移動体は、上半部と下半部とが異なる色に着色され、前記表示管は、前記第１の位置に配置された前記移動体の前記上半部に対応する部分に不透明部を有するとともに前記下半部に対応する部分に前記透明部を有し、また、前記第２の位置に配置された前記移動体の前記上半部に対応する部分に前記透明部を有するとともに前記下半部に対応する部分に前記不透明部を有する、ことを特徴とする。
【００１４】
請求項６に係る発明は、請求項１ないし４のいずれか１項に記載の送風インジケータにおいて、前記移動体が球状に形成されている、ことを特徴とする。
【００１５】
請求項７に係る発明は、請求項５に記載の送風インジケータにおいて、前記移動体の前記上半部及び前記下半部がそれぞれ球状に形成されている、ことを特徴とする。
【００１６】
請求項８に係る発明は、請求項１ないし７のいずれか１項に記載の送風インジケータにおいて、前記移動体に蛍光塗料が塗布されている、ことを特徴とする。
【発明の効果】
【００１７】
請求項１に係る発明によると、外部から表示管の透明部を介して、移動体が第１の位置に配置されているか第２の位置に配置されているかを視認することができる。そして、第１の位置に配置されている場合には、送風管内を所定量以上の空気量が流れていることを、また第２の位置に配置されている場合には、所定量未満の空気しか流れていないことを知ることができる。したがって、電気的な設備が不要な簡素な構成であって、既存の設備にも簡単に取り付けることができ、しかも騒音を発生させることがなく、送風管内を流れる空気量が所定量以上か否かを簡単に、しかも確実に判定することができる。
【００１８】
請求項２に係る発明によると、外部から表示管の透明部を介して、移動体が第１の位置に配置されている場合も、第２の位置に配置されている場合も視認することができるので、移動体の位置が変化したことにより、送風管内を流れる空気量が所定量以上か否かを知ることができる。
【００１９】
請求項３に係る発明によると、移動体は、第１の位置に配置された場合には不透明部で隠されて外部から視認することができず、一方、第２の位置に配置されている場合には透明部を介して外部から視認することができる。このように、外部から移動体を視認することができるのは、移動体が第２の位置に配置されている場合、つまり、送風管内を流れる空気量が所定量に満たない場合である。言い換えると、表示管内に移動体を視認することにより、空気量が所定量に満たないことを知ることができる。
【００２０】
請求項４に係る発明によると、移動体は、第１の位置に配置された場合には透明部を介して外部から視認することができ、一方、第２の位置に配置されている場合には不透明部で隠されて外部から視認することができない。このように、外部から移動体を視認することができるのは、移動体が第１の位置に配置されている場合、つまり、送風管内を流れる空気量が所定量以上である場合である。言い換えると、表示管内に移動体を視認することにより、空気量が所定量以上であることを知ることができる。
【００２１】
請求項５に係る発明によると、上半部と下半部とが異なる色に着色された移動体は、第１の位置に配置されたときには上半部が不透明部によって隠されるとともに下半部は透明部を介して外部から視認することができる。一方、第２の位置に配置されたときには下半部が不透明部によって隠されるとともに上半部は透明部を介して外部から視認することができる。つまり、外部からは、移動体が第１の位置に配置されている場合には下半部の色を視認し、第２の位置に配置されている場合には上半部の色を視認することができる。このように、外部から視認することができる色の別によって、移動体が第１の位置と第２の位置のいずれに配置されているか、ひいては空気量が所定以上か否かを知ることができる。ここで、例えば、移動体の上半部の色を下半部の色よりも危険と表示する度合いの強い色、例えば「赤色系」の色に着色することにより、この「赤色系」の色を視認することで、空気量が所定量未満であることを知ることができる。
【００２２】
請求項６に係る発明によると、移動体は、球状に形成されているので、表示管内を円滑に移動することができる。
【００２３】
請求項７に係る発明によると、移動体は、その上半部及び下半部は、球状に形成されているので、表示管内を円滑に移動することができる。
【００２４】
請求項８に係る発明によると、送風インジケータが設置されている場所が暗くなった場合でも、外部から移動体を良好に視認することができる。
【発明を実施するための最良の形態】
【００２５】
以下、図面に沿って、本発明の実施の形態について説明する。なお、各図面において同一の符号を付したものは、同一の構成又は作用をなすものであり、これらについての重複説明は適宜省略した。
＜実施の形態１＞
【００２６】
図１に、本発明に係る送風インジケータが使用されている小規模合併浄化槽の一例を示す。小規模合併処理浄化槽は、処理対象人員が５〜５０人のものであり、処理方式しては、嫌気濾床接触ばっ気方式と、分離接触ばっ気方式とが主に使用されるが、図１は、このうち前者の嫌気濾床接触ばっ気方式の浄化槽の縦断面を模式的に示すものである。
【００２７】
この浄化槽１は、同図に示すように、汚水の流れの順に上流側（図１中の左側）から順に、嫌気濾床槽２，３、接触ばっ気槽４、沈殿槽５を備えている。浄化のしくみは４段階に分かれていて、第１段階では、嫌気性微生物を利用した嫌気濾床槽２，３によって粗大な固形物を取り除く。第２段階では、接触ばっ気槽で好気性微生物の働きにより汚水中の有機物を浄化処理する。第３段階でその処理水中の浮遊物質を沈殿槽５で除く。そして、最後の第４段階において消毒槽（不図示）で消毒して衛生的にきれいな水として放流する。
【００２８】
このような浄化槽１においては、接触ばっ気槽４に、送風気６によって送風管７を通して空気を供給する。空気の供給が十分に行われない場合、つまり供給される空気量が所定量に満たない場合には、接触ばっ気槽４内の好気性微生物の働きが十分になされず、汚水の水質悪化や逆流の原因となる。
【００２９】
このため、前述のように、３〜４箇月ごとに、専門の保守点検業者によって送風機６も含め、保守点検や清掃を行うようにしている。
【００３０】
ところで、例えば保守点検の直後に送風機６が故障等によって停止してしまった場合には、送風機６は３〜４個月後の次の定期点検まで停止状態が続くおそれがあり、この場合には、汚水の水質悪化や逆流が発生するおそれがある。
【００３１】
そこで、送風機６が停止してしまった場合に、このことを速やかに知らせる方法として、本実施の形態では、以下のような送風インジケータ１０を、送風管７における送風機６近傍に取り付けて、送風機６が停止した、または能力が低下して所定量未満の空気量しか供給できないことを速やかに使用者に知らせるようにしている。
【００３２】
図２（ａ）は、本実施の形態に係る送風インジケータ１０の縦断面図である。なお図２（ｂ）の上半部には、送風インジケータ１０の構成要素の１つであるパッキン１６の上面図を、また下半部には同じく縦断面図を示している。
【００３３】
同図に示す送風インジケータ１０は、Ｔ字管１１と、このＴ字管１１から上方に延びる透明パイプ１２と、この透明パイプ１２の先端に装着されたキャップ１３と、透明パイプ１２内を移動可能なフロート（移動体）１４と、このフロート１４を下方から支持して第２の位置Ｂ（図２中の実線で示す位置）に配置する受けピン（第２のストッパ）１５と、フロート１４を上方から規制して第１の位置Ａ（図２中の二点鎖線で示す位置）に配置するパッキン（第１のストッパ）１６とを備えている。
【００３４】
Ｔ字管１１は、２つの円筒状の管を交差させて構成してものであり、図２中における右方，上方，下方の端面１１ａ，１１ｂ，１１ｃが開口している。端面１１ａ側は送風機６（図１参照）側に、また端面１１ｂ側は浄化槽１側にそれぞれ連結されている。そして、端面１１側には、後述の透明パイプ１２の基端部が連結されている。送風機６からＴ字管１１に送られた空気は、端面１１ａ側から入って左方に流れ、分岐部１１ｄ近傍で、下方の端面１１ｂ側に流れる空気と上方の端面１１ｃ側に流れる空気とに分かれるようになっている。つまり、Ｔ字管１１は、送風機６から浄化槽１に供給される空気の流路としての送風管として、分岐部１１ｄから上方に延びる表示管の一部として作用する。なお、本実施の形態では、Ｔ字管１１のうち、上方の突出した部分１１ｅが表示管１７の一部を構成するものとし、また部分１１ｅ以外の部分が送風管の一部を構成するものとして説明する。ここで、表示管１７は、上述の部分１１ｅと、透明パイプ１２と、キャップ１３とによって構成されているものとする。以上説明したＴ字管１１全体は、不透明な合成樹脂によって形成されている。
【００３５】
透明パイプ１２は、全体が透明な円筒状の合成樹脂によって形成されており、下端１２ａ及び上端１２ｂが開口されている。透明パイプ１２の下端１２ａ側は、上述のＴ字管１１の部分１１ｅの内側に嵌合されており、上端１２ｂ側は上方に延設されている。透明パイプ１２としては、例えば内径が１３ｍｍ程度のものが好適に使用される。なお、透明パイプ１２を使用した場合には、この透明パイプ１２のうち、Ｔ字管１１やキャップ１３で覆われていない部分が透明部に相当する。
【００３６】
キャップ１３は、蓋部１３ｃと円筒部１３ｄとからなる有蓋円筒状に形成されている。キャップ１３は、下端１３ａ側が開口されていて、上述の透明パイプ１２の上端１２ｂの開口部を閉鎖するように被嵌されている。キャップ１３の円筒部１３ｄにおける、蓋部１３ｃの近傍には、２個の空気抜き１３ｂが穿設されている。この空気抜き１３ｂは、透明パイプ１２の上端１２ｂよりも高い位置において、鉛直線に対して７５度の角度をもって出口側が下を向くように穿孔されている。これにより、屋外に設置された送風インジケータ１０に空気抜き１３ｂの出口から雨水が浸入するのを防止している。なお、本実施の形態では、空気抜き１３ｂは、直径５ｍｍ程度のものが、円筒部１３ｄを周方向に２等分する位置のそれぞれに穿孔されているが、空気抜き１３ｂの数や穿孔位置、直径については、送風量や透明パイプ１２の直径等に応じて適宜に設定すればよい。キャップ１３全体は、不透明な合成樹脂によって形成されている。
【００３７】
上述のように、表示管１７は、下から順に、Ｔ字管１１の部分１１ｅと、透明パイプ１２と、キャップ１３とによって構成されており、このうち部分１１ｅ及びキャップ１３は不透明であり、透明パイプ１２は透明である。
【００３８】
フロート（移動体）１４は、本実施の形態では合成樹脂（例えば発泡スチロール）を球状に形成することによって構成されている。直径が１１〜１２ｍｍに形成されていて、上述の直径が１３ｍｍの透明パイプ１２に対して、１〜２ｍｍのクリアランスが確保されている。フロート１４は、これにより透明パイプ１３内を軸方向（上下方向）に移動することができるようになっている。フロート１４は、上述のＴ字管１１における送風管の部分を流れる空気量が所定量未満の場合は透明パイプ１２内を自重によって下降し、逆に所定量以上の場合には自重に抗して上昇する。このフロート１４は、後に詳述するが、空気量が所定量未満の場合は受けピン１５によって透明パイプ１２の下端側の第２の位置Ｂに配置され、また所定量以上の場合にはパッキン１６によって透明パイプ１２の上端側の第１の位置Ａに配置されるようになっている。なお、フロート１４は、球状以外の他の形状、例えば、円柱状、円錐状、円錐台状とすることもできる。
【００３９】
受けピン（第２のストッパ）１５は、上述の透明パイプ１２の下端側を直径方向に貫通するように配置されている。受けピン１５は、例えばステンレスによって直径１．５ｍｍ程度の円柱上に形成されている。受けピン１５は、上述のＴ字管１１の端面１１ｃよりも少し低い位置に配置されていて、上述のフロート１４を下方から支持する。この際、受けピン１５によって下方から支持された状態のフロート１４を、外部から透明パイプ１２を通して容易に視認できるようになっている。言い換えると、フロート１４を外部から容易に視認することができるように受けピン１５の位置が設定されている。
【００４０】
パッキン（第１のストッパ）１６は、図２（ａ），（ｂ）に示すように、略々有底円筒状に形成されている。なお、前述のように、図２（ｂ）の上半部にはパッキン１６の上面図を、また下半部には同じく縦断面図を示している。パッキン１６は、上端にフランジ部１６ａを有していて、このフランジ部１６ａを上述の透明パイプ１２の上端１２ｂにかけるようにして透明パイプ１２の上端側に嵌合されている。また底部には、直径７〜８ｍｍ程度の透孔１６ｂが穿設されている。これに対して、上述のように、フロート１４の直径は、１１〜１２ｍｍに設定されている。このため、透孔１６ｂは、上昇してきたフロート１４によって閉塞されるとともに、逆にフロート１４の位置を上方から規制することになる。このときのフロート１４の位置が第１の位置Ａとなる。この第１の位置に配置されたフロート１４は、その下端部分が、上述のキャップ１３の下端１３ａの位置よりも少し上に位置する。ここで、キャップ１３は、上述のように不透明の部材によって形成されている。したがって、第１の位置に配置された状態のフロート１４は、キャップ１３に隠されて、外部からは視認することができないようになっている。
【００４１】
図４（ｂ），（ｃ）に、送風機６に連結された状態の、送風インジケータ１０を示す。このうち（ｂ）は、送風機６の停止中、また（ｃ）は、運転中を示している。ただし、（ｂ）では、送風機６の図示を省略している。なお、図４（ａ）は、送風インジケータ１０が装着されていない例（従来例）を示している。つまり、送風管７ａ，７ｃが、Ｔ字管ではなく、エルボ７ｂによって連結されていて、送風インジケータ装着されていない。
【００４２】
図４（ｂ），（ｃ）に示すように、図２に示す送風インジケータ１０は、送風機６に連結された水平方向の送風管７ａと、浄化槽（不図示）に連結された垂直方向の送風管７ｃとに、Ｔ字管１１を介して連結されている。したがって、送風機６から送り出された空気は、送風管７ａを通ってＴ字管１１に入り、このＴ字管１１によって、下方の浄化槽１側と上方の送風インジケータ１０側とに分岐される。
【００４３】
次に、本実施の形態に係る送風インジケータ１０の動作について図４を主に、適宜、図２を参照しながら説明する。
【００４４】
上述のように浄化槽１においては、送風機６は、常時、運転することが必須である。
【００４５】
図４（ｃ）に示すように、送風機６が運転され、送風機６から送風管７ａ、Ｔ字管１１、送風管７ｃを通って浄化槽に送られる。このとき、所定量以上の送風量が送られている場合（以下適宜「正常運転」という。）には、Ｔ字管１１で分岐されて上方の送風インジケータ１０に送られる空気によ利、自重に抗して透明パイプ１２内のフロート１４が押し上げられる。そして、パッキン１６によって上昇をとめられるとともに、透孔１６ｂを塞ぐ。これにより、フロート１４は、図２（ａ），図４（ｃ）に示す第１の位置Ａに配置される。このときフロート１４の上方の空間、すなわちパッキン１６とキャップ１３とによって囲まれた空間は、空気抜き１３ｂによって外気と連通しており、一方、透明パイプ１２内の、フロート１６の下方の空間は、Ｔ字管１１内を浄化槽に向かって流れる空気の流れに起因して静圧が外気圧よりも低くなる。このため、送風機６から浄化槽に送られる空気量が所定量以上の場合には、フロート１４は、第１の位置Ａに保持される。ここで、第１の位置Ａに保持された状態のフロート１４は、不透明なキャップ１３によって覆われるため、外部から視認することができない。
【００４６】
これに対して、故障等によって送風機６が停止したり、停止までは至らなくとも送風量が所定量に満たなかったりする場合には、フロート１４は、その自重により、透明パイプ１２内を下降して受けピン１５によって下方から支持される。これが、図２（ａ），図４（ｂ）に示すフロート１４の第２の位置Ｂである。ここで、第２の位置Ｂに保持された状態のフロート１４は、その大部分が不透明なＴ字管１１の端面１１ｃよりも上方に位置することになり、外部から容易に視認することができる。
【００４７】
したがって、浄化槽の使用者は、送風インジケータ１０の外部から見て、フロート１４が見えないときは、送風機６が正常に運転され、一方、見えていなかったフロート１４が見えたときには、送風機６が正常に運転されていない、つまり浄化槽に適量の空気が送られていないことを知ることができる。
【００４８】
本実施の形態の送風インジケータ１０は、警報用のランプやブザーを使用する場合には必要となる電気設備が不要な簡単な構成でありながら、確実に送風機６が正常運転されていないことを知ることができる。また、既設の浄化槽に対して電気設備や大掛かりな工事を伴うことなく、簡単に設置することができる。
【００４９】
ここで、上述の送風インジケータ１０の変形例について簡単に説明する。上述では、フロート１４が外部から見えたときに、送風機６が正常運転されていないことを知るようにしたが、この逆に、正常運転時には見えていたフロート１４が見えなくなったときに、正常運転されていないことを知るように構成することも可能である。
【００５０】
例えば、図２（ａ）の送風インジケータ１０において、受けピン１５の位置を下に下げて、受けピン１５でフロート１４を第２の位置Ｂに支持したときに、フロート１４の上端部分が不透明なＴ字管１１の端面１１ｃよりも下方に位置するようにする。また、透明パイプ１２の上端に嵌合されるパッキン１６の透孔１６ｂの位置がキャップ１３の端面１３ａとほぼ同じ高さとなるようにして、第１の位置Ａに配置されたフロート１４の上端部分がキャップ１３の端面１３ａとほぼ同じ高さとなるようにする。これにより、使用者は送風インジケータ１０を外部からみて、今で見えていたフロート１４が見えなくなったときに、送風機６が正常に運転されていない、つまり浄化槽に適量の空気が送られていないことを知ることができる。
＜実施の形態２＞
【００５１】
図３、図４（ｄ），（ｅ）に、本実施の形態に係る送風インジケータ２０を示す。
【００５２】
本実施の形態に係る送風インジケータ２０は、図２、図４（ｂ），（ｃ）に示す送風インジケータ１０とはＴ字管１１の取り付け向きが異なるものであり、他の構成は同じである。したがって、同じ構成の部材等については同じ符号を付して重複説明は適宜省略する。
【００５３】
図３に示すように、送風機（不図示）からの空気は、Ｔ字管１１の端面１１ａ側から入り、そのまま左方に流れて端面１１ｂ側から出て行く。透明パイプ１２はＴ字管１１における端面１１ｃ側に嵌合されている。また、図４（ｄ），（ｅ）に示すように、送風機６には、送風管７ａ、Ｔ字管１１、送風管７ｄ、エルボ７ｂ、送風管７ｃの順に連結されていて、浄化槽へとつづく。
【００５４】
本実施の形態は、上述の実施の形態１に対して、送風インジケータ２０の一部を構成するＴ字管１１の取り付け方が異なるだけで、他の構成は同じである。したがって、本実施の形態においても、上述の実施の形態１と同様の作用効果を奏することができる。
＜実施の形態３＞
【００５５】
図５（ａ），（ｂ）、図７（ｂ），（ｃ）に、本実施の形態に係る送風インジケータ３０を示す。同図に示す送風インジケータ３０は、フロート１０の形状が異なる点と、これに対応して受けピン１５の高さ位置が異なる点を除いて、図２（ａ），（ｂ），図４（ｂ），（ｃ）に示す送風インジケータ１０と同様の構成である。したがって、同じ構成の部材等については同じ符号を付して重複説明は適宜省略する。
【００５６】
本実施の形態においては、フロート１４は、図２で説明した球状の部材を２個つなげて構成している。ここで、一体のフロート１４のうち、上側に位置する部分を上半部１４ａ、下側に位置する部分を下半部１４ｂという。さらに、受けピン１５は、フロート１４を下方から支持した際に、上半部１４ａと下半部１４ｂとの接続部分が、不透明のＴ字管１１の端面１１ｃとほぼ同じ高さに位置するように配置されている。これにより、フローと１４は、第２の位置Ｂに配置されたときには、下半部１４ｂが不透明なＴ字管１１によって隠され、上半部１４ａのみが透明パイプ１２を介して外部から視認できる。
【００５７】
一方、上方の第１の位置Ａに配置された状態のフロート１４は、パッキン１６の透孔１６ｂの位置や、キャップ１３の端面１３ａの位置を適宜に設定することにより、上半部１４ａと下半部１４ｂとの接続部分がキャップ１３の端面１３ａとほぼ同じ高さ位置となる。これにより、フローと１４は、第１の位置Ａに配置されたときには、上半部１４ａが不透明なキャップ１３によって隠され、下半部１４ｂのみが透明パイプ１２を介して外部から視認できる。
【００５８】
図７（ｂ），（ｃ）に、上述構成の送風インジケータ３０を送風機６に連結した状態を示す。ここで（ｂ）は、フロート１４が下方の第２の位置Ｂに配置されている状態、つまり送風機６が正常に運転されていない状態を示す。これに対し、（ｃ）は、フロート１４が上方の第１の位置Ａに配置されている状態、つまり送風機６が正常に運転されている状態を示す。
【００５９】
上述構成の送風インジケータ３０によると、送風機６が正常運転されている場合は、使用者は送風インジケータ３０の外部から、上方の第１の位置Ａに配置されたフロート１４の下半部１４ｂのみを、また、正常運転されていない場合には、下方の第２の位置Ｂに配置されたフロート１４の上半部１４ａのみを見ることができる。
【００６０】
したがって、フロート１４の上半部１４ａと下半部１４ｂとを色分けした場合には、使用者は、その色の違いによって、送風機６が正常に運転されているか否かを知ることができる。
【００６１】
色分けについては、例えば、上半部１４ａを危険のイメージに直結しやすい「赤系」の色に、そして下半部を１４ｂを刺激の少ない黄色に塗り分けた場合には、使用者は、送風機６が正常に運転されている場合には黄色を見ることができ、この黄色が「赤系」の色に変わったときに、送風機６が正常に運転されていないことを知ることができる。
【００６２】
なお、以上では、フロート１４が球状の上半部１４ａ及び球状の下半部１４ｂを有する場合を例に説明したが、本発明はこれに限定されるものではなく、フロート１４を円柱状に形成し、これを上半部１４ａと下半部１４ｂとに塗り分けるようにしてもよい。
＜実施の形態４＞
【００６３】
図６、図７（ｄ），（ｅ）に、本実施の形態に係る送風インジケータ４０を示す。
【００６４】
本実施の形態に係る送風インジケータ４０は、図５、図７（ｂ），（ｃ）に示す送風インジケータ３０とはＴ字管１１の取り付け向きが異なるものであり、他の構成は同じである。したがって、同じ構成の部材等については同じ符号を付して重複説明は適宜省略する。
【００６５】
図６に示すように、送風機（不図示）からの空気は、Ｔ字管１１の端面１１ａ側から入り、そのまま左方に流れて端面１１ｂ側から出て行く。透明パイプ１２はＴ字管１１における端面１１ｃ側に嵌合されている。また、図７（ｄ），（ｅ）に示すように、送風機６には、送風管７ａ、Ｔ字管１１、送風管７ｄ、エルボ７ｂ、送風管７ｃの順に連結されていて、浄化槽へとつづく。
【００６６】
本実施の形態は、上述の実施の形態３に対して、送風インジケータ４０の一部を構成するＴ字管１１の取り付け方が異なるだけで、他の構成は同じである。したがって、本実施の形態においても、上述の実施の形態１と同様の作用効果を奏することができる。
【００６７】
以上の実施の形態１〜４において、フロート１４に蛍光塗料を塗布するとよい。この場合には、暗部においても、送風インジケータ内のフロート１４を確実に視認することができる。
【００６８】
以上の実施の形態１〜４では、表示管１７を、Ｔ字管の一部と、透明パイプ１２と、キャップ１３によって構成する場合を例に説明したが、本発明の表示管１７は、これに限定されるものではない。例えば、Ｔ字管の一部と、透明パイプ１２と、キャップ１３とを一体に構成するようにしてもよい。この場合には、少なくとも、内側のフロート１４を見せるために必要である部分を透明部とすればよい。
【００６９】
なお、以上では、本発明に係る送風インジケータを浄化槽に取り付ける場合を例に説明したが、本発明はこれに限定されるものではなく、送風機を使用する装置であれば、どんな装置へも適用が可能である。
【図面の簡単な説明】
【００７０】
【図１】本発明に係る送風インジケータを適用することができる浄化槽の構成を模式的に示す縦断面図である。
【図２】（ａ）は実施の形態１の送風インジケータの縦断面図である。（ｂ）の上半部はパッキンの上面図、また下半部は同じく縦断面図を示す。
【図３】実施の形態２の送風インジケータの縦断面図である。
【図４】実施の形態１及び２の送風インジケータの動作を説明する図である。
【図５】（ａ）は実施の形態３の送風インジケータの縦断面図である。（ｂ）の上半部はパッキンの上面図、また下半部は同じく縦断面図を示す。
【図６】実施の形態４の送風インジケータの縦断面図である。
【図７】実施の形態３及び４の送風インジケータの動作を説明する図である。
【符号の説明】
【００７１】
１          浄化槽
６          送風機
７          送風管
１０，２０，３０，４０
送風インジケータ
１３        キャップ
１３ａ      空気抜き
１４        フロート（移動体）
１４ａ      上半部
１４ｂ      下半部
１５        受けピン（第２のストッパ）
１６        パッキン（第１のストッパ）
１７        表示管
【図１】
2007010631.tif 000003
【図２】
2007010631.tif 000004
【図３】
2007010631.tif 000005
【図４】
2007010631.tif 000006
【図５】
2007010631.tif 000007
【図６】
2007010631.tif 000008
【図７】
2007010631.tif 000009